(57)【要約】【課題】  装着時には指の根元より太い指の関節を通し、かつ中石が中心からずれないよう指の根元に着用できる、装着性の高い中石つきの指輪を提供する。【解決手段】  本考案は、中石を載せ固定させるリング状の上部リング枠と下部リング枠からなる石座と、指を通すリング状の一対の腕からなり、前記腕は二分割され、その二分割された前記腕の一端は、前記上部リング枠と前記下部リング枠を連結する連結枠に摺動自在に取着された摺動環を介して前記石座に連結され、二分割された前記腕のそれぞれの他端には、互いに異極となる磁石が埋設されて他端同士が着脱自在となっている構成とした。【選択図】図１
0003175012.tif 000002
【実用新案登録請求の範囲】
【請求項１】
中石を載せ固定させるリング状の上部リング枠と下部リング枠からなる石座と、指を通すリング状の一対の腕からなり、前記腕は二分割され、その二分割された前記腕の一端は、前記上部リング枠と前記下部リング枠を連結する連結枠に摺動自在に取着された摺動環を介して前記石座に連結され、二分割された前記腕のそれぞれの他端には、互いに異極となる磁石が埋設されて他端同士が着脱自在となっていることを特徴とする指輪。
【請求項２】
前記摺動環は、二分割された前記腕の一端に開けられた貫通孔に回動自在に連結されていることを特徴とする請求項１に記載の指輪。
【請求項３】
二分割された前記腕の他端の接合面が、内側にすり鉢状に削られており、接合面の周縁と磁石同士の接合面が同一レベルとなっていることを特徴とする請求項１または請求項２に記載の指輪。
【請求項４】
前記上部リング枠には前記摺動環の上部を覆うように脇石が設置されていることを特徴とする請求項１または請求項２または請求項３に記載の指輪。
【考案の詳細な説明】
【技術分野】
【０００１】  本考案は装着性の向上を図った指輪に関するものである。
【背景技術】
【０００２】  人間の指は、指輪を着用する指の根元部分に対して、関節部分の周囲の太さが太い場合が多い。また、一般的に加齢とともに、老化現象により指の根元部分の太さは変わらないまま、指の関節部分が太くなることも多い。【０００３】  指輪は一般的に、中石と呼ばれる宝石を載せ固定させた中心部分が重いため、関節部分の指が通る内径の太さの指輪を指の根元に装着すると、石の重さで中心がずれてしまい、美しく着用することができない。【０００４】  従来の指輪では、指を通す腕と呼ばれるリング状の部材を二分割し、分割部分に隙間を設けることで、指輪の内径を調節するものや、特許文献１に開示されているように、腕を二分割し、円弧状の一対のリングの分割片の一端に回転自在に連結する蝶番を備え、他端に磁石を設けることで指輪の内径を素早く変化できるように加工したものもある。
【先行技術文献】
【特許文献】
【０００５】
【特許文献１】特開２０１０−０２２６９８号公報
【考案の概要】
【考案が解決しようとする課題】
【０００６】  腕を二分割し、分割部分に作った隙間を押し広げることで、指通りをよくして装着を容易にしようとする指輪は、指輪の素材として一般的な１８金では、硬すぎて隙間を広げることが困難なため、この加工を施しても実用に供さない。【０００７】  特許文献１に開示されているように、腕を二分割し、円弧状の一対のリングの分割片の一端に回転自在に連結する蝶番を備え、他端に磁石を設ける加工では、指輪のデザインとして一般的な、中央部分に中石を持ったデザインに用いることができない。なぜならば、磁石を埋め込んだ反対の部分の腕に蝶番を設置することで、石を載せる石座にあたる部分も、蝶番の可動域となってしまうからである。【０００８】  また、特許文献１に開示されているように、蝶番上部に、石を載せる台を蝶番の可動部分を覆う形で設置することで、可動による影響が石座に及ばないようにしたとしても、指輪のデザインとして実用的ではない。なぜならば、多くの指輪は、中石内部で入射光が反射することにより光り輝くことによって指輪の価値が出るものであるが、石座の下部から光が入らないと、この反射の効果が出ないため、中石を輝かせることができないからである。【０００９】  本考案は、一般的な中石を載せたデザインの指輪でも、指輪の内径を素早く変化させて指の根元より太い指の関節部分の指通りを可能にし、かつ指の根元部分で中石が中央からずれてしまうことなく着用でき、かつ中石を輝かせるための光の反射を阻害しない指輪を実現することを目的とするものである。
【課題を解決するための手段】
【００１０】  上記課題を解決するために、本考案は、中石を載せ固定させるリング状の上部リングと下部リング枠からなる石座と下部リング枠からなる石座と、指を通すリング状の一対の腕からなり、前記腕は二分割され、その二分割された前記腕の一端は、前記上部リング枠と前記下部リンク枠を連結する連結枠に摺動自在に取着された摺動環を介して前記石座に連結され、二分割された前記腕のそれぞれの他端には、互いに異極となる磁石が埋設されて他端同士が着脱自在となっていることを特徴とする。なお、本明細書においては、中石のある方を上部、磁石のある方を下部とする。【００１１】  前記摺動環は、二分割された前記腕の一端に開けられた貫通孔に回転自在に連結されていることが望ましい。【００１２】  二分割された前記腕の他端の接合面が、内側にすり鉢状に削られており、接合面の周縁と磁石の接合面が同一レベルとなっていることが望ましい。【００１３】  前記上部リング枠は前記摺動環の上部を覆うように脇石が設置されていることが望ましい。
【考案の効果】
【００１４】  上述したように、本考案の指輪は、二分割されたリング状の腕の一端に石座と腕とを連結した摺動環を設置し、かつ二分割された腕の他端に互いに異極となる磁石を設置したことにより、中石を指輪の内径を、前記中石の装飾性を損ねることなく素早く変化させることで指の根元より太い指の関節部分の指通りを可能にし、装着性の向上を図った指輪を提供することを可能とした。【００１５】  さらに、指の根元の太さと同じ太さの内径の指輪の着用が可能となるため、中石の中心が横にずれにくく、装身具としての外観を損なわない、装着性の向上を図った指輪を提供することができる。
【図面の簡単な説明】
【００１６】
【図１】本考案の指輪本体全体の側面図である。
【図２】実施例にかかる本考案の上部拡大斜視図である。
【図３】実施例にかかる本考案の下部拡大斜視図である。
【図４】本考案の指輪を指に着脱するときの様子を示す図面である。
【図５】本考案の指輪の着用後の状態を示す図面である。
【考案を実施するための形態】
【００１７】  以下、本考案の実施の形態を図１〜図５に基づいて説明する。
【００１８】  図１は本考案の指輪本体全体の側面図である。図２は中石を載せる石座と腕を繋ぐ摺動環を、石座の両脇二箇所設けた部分を示す本考案の指輪の上部拡大斜視図である。図３は腕の下部の分割部分が接した面の内部に磁石を設置して腕を開閉できるようにした部分を示す本考案の指輪の下部拡大斜視図である。図４は本考案の指輪を指に着脱するときの様子を示しており、腕の内部に設置した磁石が開いている状況を表した斜視図である。図５は本考案の指輪の着用時の様子を示しており、腕の内部に設置した磁石が閉じている状況を表した斜視図である。
【００１９】  図１、図２に示すように、本考案の指輪本体１は、指を通すリング状の一対の腕２と、中石５を載せる石座３と、腕２の先端は左右それぞれ加工された貫通孔２ａと石座３を繋ぐ摺動環４によって二箇所連結され、連結部分の上部それぞれに脇石６が設置されている。
【００２０】  図２に示すように、腕２は、下部において二分割され、その分割接合面２ｂの内部には、それぞれ互いに異極となる磁石７が埋め込まれている。
【００２１】  図３、図４に示すように、指輪本体１を指に装着する際は、指の関節を通すために、下部の二分割された分割接合面２ｂを開く。この可動により生じる腕２の内径の変化による歪みは、貫通孔２ａと摺動環４の連絡部分の隙間によって吸収されるので、石座３には影響が及ばない。
【００２２】  図５に示すように、指輪本体１を指の関節を通した後は、指の根元部分で下部の二分割された分割接合面２ｂを閉じ、分割接合面２ｂの内部にそれぞれ互いに異極となるよう埋設された磁石７の磁力によって、指に固定させることができる。
【００２３】  指輪本体１を、指の根元部分で中石が中央からずれてしまうことなく着用するには、分割接合面２ｂが閉じたときの腕２の内径を、装着させる指の根元部分の周囲の太さに一致させるように加工しておく必要がある。
【００２４】  石座３と摺動環４について詳述すると、図２に示すように、腕２の先端は左右それぞれ貫通孔２ａが加工されている。さらに石座３は、上部リング枠３ａと下部リング枠３ｂからなり、このリング枠をつなぐ柱３ｃが設けられている。柱３ｃと貫通孔２ａは、摺動環４で、二箇所で連結される形で加工されている。
【００２５】  図２、図３に示すように分割接合面２ｂが開くと、腕２の先端は左右それぞれ貫通孔２ａと、それらに連結されている摺動環４との連結部分の隙間によって、腕２の内径の変化による歪みを吸収することができる。
【００２６】  石座３についてさらに詳述すると、図２に示すよゆに、石座３は、上部リング枠３ａと下部リング枠３ｂからなっており、このリング枠をつなぐ柱３ｃが設けられていることで、装着時に中石５を輝かせるために必要な入射光の反射を阻害しない。
【００２７】  そして、石座３には、摺動環４の部分を覆うように脇石６を設置するための脇石座３ｄが設けられている。これにより、指輪本体１装着時に外側から連結部分を隠すことができる。これにより、指輪本来の装飾具としての美観を損なうことなく、指に装着することができる。
【００２８】  腕２の下部の分割部分についてさらに詳述すると、図３に示すように、腕２の下部の分割接合面２ｂには、内部にそれぞれ互いに異極となるＳ極Ｎ極が接する形態で磁石７が左右それぞれ埋め込まれている。
【００２９】  分割接合面２ｂは、埋没された磁石の磁力を高めるために、接合面の内側は、すり鉢状に削られており、接合面の周縁は、磁石のＮ極とＳ極の接合面と同じレベルに加工されているために、分割部分は磁力によって隙間なく接合し、磁石７が外側から見えてしまうことはない。
【００３０】  接合面の周縁は、磁石７のＮ極とＳ極の接合面と同じレベルに加工されていることで、装着時に外側から内部に磁石７が埋設されていることが見えないように加工されている。これにより、７の磁石のＳ極とＮ極の接合の磁力損なわずに、指輪という装身具の美観を損なわないようになっている。
【００３１】  図４に示すように、分割接合面２ｂは、左右それぞれ内部に埋設された磁石のＳ極とＮ極が接することで磁力が生じ、閉じる状態となるが、外部から力を加えることで、分割接合面２ｂに埋設された磁石のＳ極とＮ極を離すことでき、腕２の先端は左右それぞれ貫通孔２ａと、それらに連結されている摺動環４との連結部分の隙間によって可動できる範囲において、腕２の内径は変化することができる。
【００３２】  分割接合面２ｂを開くことで、指輪本体１を指につける際、柱３ｃと貫通孔２ａは、摺動環４による連結部分によって、腕２の内径が広がるため、指の根元部分より太い関節部分を通すことができる。このとき、分割接合面２ｂを開くことによって生じる歪みは、環４と腕２の貫通孔２ａとの連結部分に生じている隙間によって吸収されるので、石座３および中石５は歪みによる影響を受けない。
【００３３】  図５に示すように、指輪本体１を指の根元に装着した際、分割接合面２ｂは内部に互いに異極となるＳ極Ｎ極が接する形態で磁石７が左右それぞれに埋め込まれた磁石の磁力によって閉じられ、特に開くように外部から力をかけない限り、指から外れることはない。
【００３４】  分割接合面２ｂが閉じたときの腕２の内径を、装着させる指の根元部分の周囲の太さに合わせることにより、指輪本体１は、指の根元部分に装着した際、中石５を設置した石座３の中心がずれてしまうこともなく、美しく着用することができる。
【００３５】  台座、摺動環、腕には、プラチナ、金、銀などが採用される。
【符号の説明】
【００３６】１    指輪本体
２    腕
２ａ  貫通孔
２ｂ  分割接合面
３    石座
３ａ  上部リング枠
３ｂ  下部リング枠
３ｃ  リング枠をつなぐ柱
３ｄ  脇石座
４    摺動環
５    中石
６    脇石
７    磁石
【図１】
0003175012.tif 000003
【図２】
0003175012.tif 000004
【図３】
0003175012.tif 000005
【図４】
0003175012.tif 000006
【図５】
0003175012.tif 000007